(57)【特許請求の範囲】
【請求項１】
複数枚のタイルからなるタイル群の各１枚のタイルを表面を上にして、整列板に目地間隙と対応する突条によって画成された複数の凹所の各１個の凹所に納めて前記タイル群を整列するタイル整列方法において、前記各凹所に形成した突部と前記各タイルの裏面に形成した凹部とを嵌合することにより、前記各タイルを前記凹所内で偏らないように位置決めすることを特徴とするタイル整列方法。
【請求項２】
前記凹所の前記突部と前記タイルの前記凹部がそれぞれ複数であることを特徴とする請求項１に記載のタイル整列方法。
【請求項３】
前記凹所の前記突部と前記タイルの凹部が互いに整合する非円形であることを特徴とする請求項１に記載のタイル整列方法。
【請求項４】
請求項１、２または３に記載の方法で整列した前記タイル群の表面に１枚の紙または樹脂フィルム等のシートを張り付けて前記タイル群を連結するタイル連結方法。
【請求項５】
請求項１、２または３に記載の方法で整列した前記タイル群を吸盤で吸着して整列板から分離し、該タイル群の裏面に、目地間隙を跨ぐ配置で平板上に点在させた接着剤を付着させて硬化させるタイル連結方法。
【発明の詳細な説明】
【０００１】
【発明の属する技術分野】
本発明は複数のタイルを整列する方法及び整列したタイル同士を連結する方法に関する。
【０００２】
【従来の技術】
タイルを壁面などに張り付ける場合に、１個ずつ張り付けると非能率であるばかりでなく、目地を揃えて張り付けることが困難であるため、複数枚のタイルを予め整列して連結しておき、複数枚のタイルを同時に張り付ける方法が行われており、そのために、複数枚のタイルからなるタイル群の各１枚のタイルを、整列板に目地間隙と対応する突条によって画成された複数の凹所の各１個の凹所に納めてタイル群を整列した後に連結する方法が行われている。
【０００３】
【発明が解決しようとする課題】
しかしながら従来の方法では、タイルは焼成時の収縮の差などによる大きさの違いを考慮してタイルを収容する凹所が大きめになっているため、小さめのタイルは凹所の中で一定の位置に収まらず、１群のタイルの目地が不揃いとなって外観が悪くなることがあり、特に、乾式プレス成形後に外周を囲む枠の無い状態で再打圧することにより外周面に不規則な凹凸を形成して自然石調にしたタイルにおいては、凹所をかなり大きくする必要があるため、タイルの位置が定まらず、従来の整列方法では外観が著しく悪くなるという課題があった。
【０００４】
【課題を解決するための手段、作用及び効果】
このような課題を解決するための手段として、請求項１に記載のタイル整列方法の発明は、複数枚のタイルからなるタイル群の各１枚のタイルを表面を上にして、整列板に目地間隙と対応する突条によって画成された複数の凹所の各１個の凹所に納めてタイル群を整列するタイル整列方法において、各凹所に形成した突部と各タイルの裏面に形成した凹部とを嵌合することにより、各タイルを凹所内で偏らないように位置決めする構成としたものであって、各タイルは突条に当たって位置決めされるのではなく、凹凸の嵌合によって位置決めされるから、各タイルは各凹所のほぼ中央に位置決めされて目地間隙が全体としてほぼ一定となり、壁面などに張り付けたときの外観に優れる。
【０００５】
請求項２に記載のタイル整列方法の発明は、請求項１の発明において、凹所の突部とタイルの凹部がそれぞれ複数であるから、突部と凹部が円形であっても回転もずれも生じず、タイルを確実に位置決めすることできる。
【０００６】
請求項３に記載のタイル整列方法の発明は、請求項１の発明において、凹所の突部とタイルの凹部が互いに整合する非円形であるから、突部と凹部を１個ずつ形成するだけで回転もずれも生じず、タイルを確実に位置決めすることができる。
【０００７】
請求項４に記載のタイル連結方法は、請求項１、２または３に記載の方法で整列したタイル群の表面に１枚の紙または樹脂フィルム等のシートを張り付けてタイル群を連結するようにしたから、整列したままの状態を保って壁面などにタイル群を張り付けた後にシートを剥がすことにより、容易に施工することができる。
【０００８】
請求項５に記載のタイル連結方法は、請求項１、２または３に記載の方法で整列したタイル群を吸盤で吸着して整列板から分離し、そのタイル群の裏面に、目地間隙を跨ぐ配置で平板上に点在させた接着剤を付着させて硬化させるものであるから、接着剤によりタイルが一体的に連結され、そのまま壁面などに施工することができる。
【０００９】
【発明の実施の形態】
以下、本発明実施の形態を添付図面に基づいて説明する。
図１〜５は本発明の第１の実施の形態を示し、図において１は、乾式プレス成形後に外周を囲む枠の無い状態で再打圧することにより外周面に不規則な凹凸を形成して自然石調に焼成した陶磁製のタイルであって、その裏面に緩やかなテーパーの付された２個の凹部２が間隔をあけて形成されている。
【００１０】
３はタイル１を壁面などに施工したときに形成される目地間隙に対応する幅の突条４によって画成された各凹所５の底面に上記タイル１の凹部２に整合する２個の突部６が形成された整列板であって、各凹所５は大きめのタイル１もはまり込むことができる大きさになっているから、小さめのタイル１を収めると隙間ができるのであるが、タイル１の凹部２が突部６に嵌合するため、小さめのタイル１も曲がったりずれたりすることなく各凹所５のほぼ中央に配置することができる。
【００１１】
このようにして整列板３上に整列された１群のタイル１はその表面に紙または樹脂フィルム等のシートを張り付けて整列板３から外し、セメントモルタルや有機質等の接着剤で壁面などに張り付けて接着剤が硬化してからシートを剥がして施工を完了する。
【００１２】
また、各タイル１の表面が滑らかである場合には、整列板３上に整列された１群のタイル１を吸盤で吸い付けて整列板３から分離し、その１群のタイル１の裏面に、目地間隙を跨ぐ配置で平板上に点在させた接着剤を付着させて硬化させることにより１群のタイル１を連結するようにしてもよい。
【００１３】
図６〜１０は本発明の第２の実施の形態を示す。
【００１４】
本実施の形態のタイル１１は、上記第１の実施の形態のタイル１の裏面の２個の凹部２を除去してその裏面の中央部に１個の十字形の凹部１２が少し底すぼまりの傾斜を付して形成されており、また、整列板１３には突条１４により複数の凹所１５が画成されてタイル１１が嵌まるようになっていて、その中央部に各タイル１１の凹部１２に整合する十字形の突部１６が形成されている。
【００１５】
本実施の形態においては、十字形の凹部１２と突部１６が整合するようにしたから、小さめのタイル１を収めると凹所15とタイル11の間に隙間ができるのであるが、タイル１の凹部1２が突部1６に嵌合するため、小さめのタイル１1も曲がったりずれたりすることなく各凹所１５のほぼ中央に配置することができる。
【００１６】
したがって、上記第１の実施の形態と同様にシートまたは接着剤によりほぼ一定の目地間隔を保って１群のタイル１１を連結することができる。
【００１７】
この第２の実施の形態のようの１個の凹部と突部の嵌め合いで位置決めをするにはこれらの形状が非円形であればよく、方形でも楕円形でもよい。
【００１８】
なお、タイルの裏面に蟻溝が形成される場合には、その蟻溝と直角方向の凹部を形成して、整列板の凹所にタイルの蟻溝と凹部に嵌入する突部を形成してもよい。
【図面の簡単な説明】
【図１】本発明の第１の実施の形態におけるタイルの斜視図である。
【図２】整列板の一部の斜視図である。
【図３】整列板とタイルの分離斜視図である。
【図４】タイルを整列板に嵌め込んだ状態の一部切欠平面図である。
【図５】タイルを整列板に嵌め込んだ状態の一部切欠断面図である。
【図６】本発明の第２の実施の形態におけるタイルの斜視図である。
【図７】整列板の一部の斜視図である。
【図８】整列板とタイルの分離斜視図である。
【図９】タイルを整列板に嵌め込んだ状態の一部切欠平面図である。
【図１０】タイルを整列板に嵌め込んだ状態の一部切欠断面図である。
【符号の説明】
１、１１：タイル
２、１２：凹部
３、１３：整列板
４、１４：突条
５、１５：凹所
６、１６：突部
【図１】
0004169307.tif 000002
【図２】
0004169307.tif 000003
【図３】
0004169307.tif 000004
【図４】
0004169307.tif 000005
【図５】
0004169307.tif 000006
【図６】
0004169307.tif 000007
【図７】
0004169307.tif 000008
【図８】
0004169307.tif 000009
【図９】
0004169307.tif 000010
【図１０】
0004169307.tif 000011